(57)【要約】【課題】  高さ２ｍ程度の植木でも植栽が可能で、軽量で、屋上ガーデンでも利用可能な植栽マットを提供することである。【解決手段】  層状マット(１)を成し、その表面層(２)は、１５００〜３０００デニールの太さで、比重１．１以下のプラスチック繊維(４)を、密度１５００ｇ/ｍ2以上に巻き線状で3次元に絡み合っているものであり、その空隙(９)には、ピートモスなどの軽量の土が充填されており、一方、その底面層(３)は、１０〜４０デニールの同種プラスチック繊維が、蜜に絡み合った層状物であり、その表面層のマットのほぼ中心に樹木を植栽するための凹部或いは穴部(７)がその表面層にのみ形成されていることを特徴とする樹木の植栽可能なマット(１)である。【選択図】  図１
0003116097.tif 000002
【実用新案登録請求の範囲】
【請求項１】
層状マット(１)を成し、
その表面層(２)は、１５００〜３０００デニールの太さで、比重１．１以下のプラスチック繊維(４)を、密度１５００ｇ/ｍ2以上に巻き線状で3次元に絡み合っているものであり、その空隙(９)には、ピートモスなどの軽量の土が充填されており、一方、その底面層(３)は、１０〜４０デニールの同種プラスチック繊維が、蜜に絡み合った層状物であり、その表面層のマットのほぼ中心に樹木を植栽するための凹部或いは穴部(７)がその表面層にのみ形成されていることを特徴とする樹木の植栽可能なマット(１)。
【請求項２】
前記の表面層(２)は、３ｃｍ以上５０ｃｍ以下の厚であり、底面層は、１〜３ｍｍ厚であることを特徴とする請求項１に記載のマット。
【請求項３】
請求項１および２のマット(１)を所定の大きさに形成し、その所定の大きさが収納する大きさの箱状容器(１２)に該マットを収納させたことを特徴とする植栽マットユニット(１１)。
【考案の詳細な説明】
【技術分野】
【０００１】
本発明は、植木、樹木を植えて、栽培するためのプラスチック繊維と植栽領域を有する、使用に簡便なマットおよび植栽マットユニットに関する。
【背景技術】
【０００２】
樹木は、通常、鉢植えなどは、鉢、函型容器などに樹木を土とともに植栽している。しかし、これでは、鉢植え自体は、大きなものとなり、重量もあるものとなり、取り扱い難いものである。また、屋上やベランダ、エントランス、店舗を飾るために、樹木を用いる場合、手軽にできず、また、その模様変えなども気軽に行えないものであった。
【０００３】
また、誰でも、植栽することは、困難であり、限られた人のみが、ガーデイニングを楽しむという状態であった。
【考案の開示】
【考案が解決しようとする課題】
【０００４】
本発明の基本的な課題は、高さ２ｍ程度の植木でも植栽が可能で、軽量で、屋上ガーデンでも利用可能な植栽マットを提供することである。そして、植物の根張りを高めることにより、厚さ３〜５ｃｍの薄層にでき、移動や設置が簡単に行えるようなマットが提供され、屋上、ベランダ、玄関先等のような土のないところ、省スベースで、新しい緑化基盤を提供できるマットおよびそのようなマットと組合せた収納ユニットも提供することである
【課題を解決するための手段】
【０００５】
緑化のため、植栽のためのマットを提供し、そして、次のような構成のマットとそのマットを用いた植栽ユニットが考案された。
１、 層状マット(１)を成し、その表面層(２)は、１５００〜３０００デニールの太さで、比重１．１以下のプラスチック繊維(４)を、密度１５００ｇ/ｍ2以上に巻き線状で3次元に絡み合っているものであり、その空隙(９)には、ピートモスなどの軽量の土が充填されており、一方、その底面層(３)は、１０〜４０デニールの同種プラスチック繊維が、蜜に絡み合った層状物であり、その表面層のマットのほぼ中心に樹木を植栽するための凹部或いは穴部(７)がその表面層にのみ形成されていることを特徴とする樹木の植栽可能なマット(１)。
２、前記の表面層は、３ｃｍ以上５０ｃｍ以下の厚であり、底面層は、１〜３ｍｍ厚であるマット。
【０００６】
３、（１）および（２）のマットを所定の大きさに形成し、その所定の大きさが収納する大きさの箱状容器（１２）に該マットを収納させたことを特徴とする植栽マットユニット（１１）。
【考案の効果】
【０００７】
本発明のマットは、層状マットを成し、その表面層は、１５００〜３０００デニールの太さで、比重１．１以下のプラスチック繊維を、密度１５００ｇ/ｍ2以上に巻き線状に3次元に絡み合っているものであり、その空隙には、ピートモスなどの軽量土が充填されており、その底面層は、１０〜４０デニールの同種プラスチック繊維が、蜜に絡み合った層状物であり、その表面層のマットのほぼ中心に樹木を植栽するための凹部或いは穴部がその表面層にのみ形成されている。そのために、重さは、土だけで栽培する場合に比較して、3分の1程度になり、更に、本発明のマットで栽培すると、根が伸び過ぎないために、植栽した樹木の高さも抑制される。そして、僅かなスペースでも栽培できるようになる。即ち、樹木を土のないような場所、屋上、ベランダ、玄関のようなところにも、植栽し、育成できる。また、省スペースでの新しい緑化基盤として、緑化展示、リース用グリーンとしても適用できる。
また、高さ２ｍ程度の植木でも植栽が可能であり、従来、屋上緑化などでは、人工地盤として土等を用いることから、建物の高層部に重い土などを敷き詰めなければならず、構造上問題があったが、本発明のマットにより、これらの問題が克服される。また、鉢物のように、倒れる心配も少なく、並べるだけで簡単に仕上げる事が出来る。
【考案を実施するための最良の形態】
【０００８】
本発明のマット（１）は、基本的には、層状であり、少なくとも表面層（２）と底面層（３）の２つの層を有する構造である。そして、表面層（２）は、
１５００〜３０００デニールの太さで、比重１．１以下のプラスチック繊維を、密度１５００ｇ/ｍ2以上に巻き線状に3次元に絡み合っているものであり、その空隙には、ピートモスなどの軽量土が充填されておる。プラスチック繊維は、ポリプロピレンが好適であるが、ポリエチレン等の他の軽量のプラスチック繊維も使用でき、それに限定されることはない。また、底面層を形成するプラスチック繊維も同様の材料である。
【０００９】
図１により、本発明のマット（１）を説明するが、本発明はそれに限定されないものである。図では断面図によりマット（１）の構造で説明してある。マットのスタイル、デザインは、適宜変化を付けることができることは言うまでもない。そして、図２には、そのマットをマット容器に収納したユニット化した状態を示す。
【００１０】
図１のマット(１)は、図示のような構成の断面を有する層状であり、その隙間に(１)、ピートモス(４)を充填したものです。表面層(２)では、プラスチック繊維は、密度の粗いが、太いものである。即ち、１５００〜３０００デニールの太さであり、この範囲が好適な太さであり、できるだけマット重量を軽くするために、比重１．１以下のプラスチック繊維がよい。その密度は密度１５００ｇ/ｍ2以上にあり、巻き線状に3次元に絡み合っている繊維がよい。その空隙(９)には、ピートモスなどの軽量土が充填される。その底面層(３)は、１０〜４０デニールの太さの同種プラスチック繊維が、蜜に絡み合った層状物である。即ち、細いが蜜に充填されたプラスチック繊維が好適である。そして、マットの表面層(２)には、そのほぼ中心に樹木(５)を植栽するための凹部或いは穴部(７)が図示のように形成されている。
【００１１】
本発明のマット(１)の製造方法は、先ず、層状の表面に粗いプラスチック繊維で積層され、底面側に細いプラスチック繊維で形成したマットを、所定の大きさに切断し、その中心部分の表面層部分に、植え穴に応じた穴或いは凹部を、打ち抜き、サンダーで切断することにより、形成する。そして、マット表面層から、ピートモスを充填していきます。ピートモスが落ちないように、底面層のプラスチック繊維密度を配慮する。ピートモスを詰める際には、マット基盤を軽く叩くか、刷り込むようにする。
【００１２】
そして、植栽はいつでも可能です。例えば、植木ポットから植栽物をはずし、不要な根を整理します。それから、植え穴或いは凹部に植栽物を入れ、隙間に十分な量のピートモスを押しながら詰め、植栽物を固定します。そして、必要に応じて、日陰で養生します。または、潅水施設で、潅水します。
【００１３】
マット(１)の構成は、植栽の要望から、表面層と底面層の間に他の機能を有する層も使用することができる。
基本的には、軽量化可能のために軽量のプラスチック繊維を用いて、軽量の土でも充填され、全体として、軽量にできる使用の容易なマットに作製でき、そして、水遣りや、植栽に便利なようにマットをユニット化したものを提供する。
【００１４】
本発明のマット(１)の略中心部に形成された穴或いは凹部(７)は、幅ｗで、即ち、円状では、直径ｗであり、それは、植栽される樹木の根の径を配慮して決められる。そして、その深さD1は、表面層の厚さ(２)と等しいものであり、そして、底面層(３)の厚さは、D2である。D1は、３ｃｍ以上５０ｃｍ以下が、好適である。また、底面層D2は、１〜３ｍｍが好適である。
【００１５】
次に、図２は、マット(１)を、方形にしたものを、函型の収納箱(１２)に収納させた植栽マットユニット(１１)の斜視図である。マット(１)は、所定の大きさにし、その所定の大きさが収納する大きさの箱状容器(１２)に収める。
この箱型容器は、プラスチックダンボールを図示のように組立てたものであり、プラスチックだから耐水性であり、同時にダンボールだから、軽量なものである。組立ては、図において、１３で示したように、ダンボールの端部に複数の穴を開け、棒状或いは釘状プラスチックで、止めたものでよい。図示のように、プラスチックダンボールを、組立て原型に切断し、組み立てれば、簡単に出来上がる。
【００１６】
図２の例では、箱型で示したが、丸型、楕円形型でも、本発明の考えに従って、容易に組立て、製造することができる。即ち、本発明のマットを、丸型、楕円形型にして、製造すればよい。
【産業上の利用可能性】
【００１７】
産業上の利用可能性は、上記に記述したが、一般的には、本発明のマットを利用すると、土をほとんど使用できない場所でも、即ち、屋上、ベランダ、エントランス、店舗などでも、容易に、はやく、簡単に、きれいに、ガーデンを形成でき、緑化ができる。即ち、軽量コンパクトな植栽システムを提供できる。そして、1ピースの一定サイズの植栽したマットを、組合せると、並べるだけで、種々の模様換えが、楽にできる。また、即席の空中ガーデンを作ることができます。
【図面の簡単な説明】
【００１８】
【図１】本発明による、植栽のためのマットの断面図を示す。
【図２】本発明による、マットを収納函に収めた状態のマットユニットを斜視図により、示す。
【符号の説明】
【００１９】
１      マット
２      表面層
３      底面層
４      プラスチック繊維  
５      植物（樹木）
６      樹木の根
７      植栽用の穴或いは凹部
８      穴或いは凹部の内壁
９      隙間或いはピートモス
１１    マットユニット
１２    収納容器
１３    収納容器の組立接合部
１４    収納容器の底面
【図１】
0003116097.tif 000003
【図２】
0003116097.tif 000004